(57)【特許請求の範囲】
【請求項１】
複数のスラットを整列状態に支持するとともに前記スラットの傾斜角度を可変とするためのラダーコードと、前記スラットを昇降させるための昇降コードと、を備えたブラインドにおいて、
所定のスラットとその直下のスラットとが、前記ラダーコードによって異なる傾斜角度に支持可能であり、
前記昇降コードは、前記スラットの長手方向の側縁に沿って配置され、
前記所定のスラットには、前記ラダーコードに対応する位置に切欠部が形成されており、
前記昇降コードによる前記所定のスラットの一方の側縁の押圧によって、前記所定のスラットの他方の側縁に形成された前記切欠部を前記ラダーコードの垂直コードが挿通することを特徴とする、ブラインド。
【請求項２】
前記切欠部を、前記ラダーコードの中段コードが挿通するようにしたことを特徴とする、請求項１に記載のブラインド。
【請求項３】
前記所定のスラットとその直下のスラットとは、異なるラダーコードにより支持されることを特徴とする、請求項１又は２に記載のブラインド。
【発明の詳細な説明】
【技術分野】
【０００１】
本発明は、ブラインドに関する。
【背景技術】
【０００２】
従来のブラインドとして、特開２００５−１２０６１２号公報（特許文献１）に示されるものがある。特許文献１に開示されるブラインドは、ラダーコードの前後の垂直コードの途中部分に、スラットのピッチを前後で異ならしめる切替部が設けられている。そして、スラット列の中で切替部を境として上部にある上側スラット群と、下部にある下側スラット群とが互いに異なる傾斜角度を保持し得るようにしている。このような構成によれば、ブラインドにおいて、入射及び遮蔽される光の状態にバリエーションを持たせることができる。
【先行技術文献】
【特許文献】
【０００３】
【特許文献１】特開２００５−１２０６１２号公報
【発明の概要】
【発明が解決しようとする課題】
【０００４】
しかし、特許文献１に開示されるブラインドでは、昇降コードは各スラットに設けられた挿通孔に挿通されている。このため、スラットを全閉となるまで回転させても、挿通孔からの光漏れが懸念されるという問題があった。なお、このような問題は、上側スラット群と下側スラット群とからなるブラインドに限らず、所定のスラットの傾斜角度を変えることによって、入射及び遮蔽される光の状態にバリエーションを持たせたブラインドにおいても共通する問題である。
【０００５】
そこで本発明は、このような問題に鑑みてなされたもので、その目的とするところは、入射及び遮蔽される光の状態にバリエーションを持たせたブラインドにおいて、遮蔽性を向上させることの可能なブラインドを提供することにある。
【課題を解決するための手段】
【０００６】
上記課題を解決するために、本発明によれば、複数のスラットを整列状態に支持するとともに前記スラットの傾斜角度を可変とするためのラダーコードと、前記スラットを昇降させるための昇降コードと、を備えたブラインドにおいて、所定のスラットとその直下のスラットとが、前記ラダーコードによって異なる傾斜角度に支持可能であり、前記昇降コードは、前記スラットの長手方向の側縁に沿って配置されることを特徴とする、ブラインドが提供される。
【０００７】
かかる構成によれば、昇降コードをスラットの長手方向の側縁に沿って配置したことによって、スラットに昇降コードを挿通させるための挿通孔を設ける必要がない。このため、スラットを全閉となるまで回転させても、挿通孔からの光漏れの懸念がない。なお、「長手方向の側縁に沿って配置」とは、長手方向の一の側縁に沿って複数の昇降コードを配置してもよく、あるいは、一の側縁と他の側縁に例えば交互に昇降コードを配置してもよい。
【０００８】
ところで、所定のスラットとその直下のスラットとをラダーコードによって異なる傾斜角度に支持する場合、所定のスラットとその直下のスラットの前後において、ラダーコードのピッチが異なることになる。このような場合、所定のスラットとその直下のスラットを傾斜させたときに、ピッチの長さの差によってラダーコードに弛みが生じ、スラットの回転を妨害する原因になる。このため、昇降コードは常に緊張状態に保持することが好ましい。ただし、スラットの側縁に沿って昇降コードを配した場合、スラットの前後両側から昇降コードによる押圧を受けることになる。所定のスラットが水平、その直下のスラットが閉状態にあると、直下のスラットに沿ってラダーコード及び昇降コードの前後幅が狭くなることになるため、所定のスラットに対して前後方向からの負荷がかかることになり、スラットの回転が窮屈となって所定のスラットが回転しきれないおそれがある。
【０００９】
そこで、本発明の応用例として、前記所定のスラットには、前記ラダーコードに対応する位置に切欠部が形成されており、前記昇降コードによる前記所定のスラットの側縁の押圧によって、前記ラダーコードが前記切欠部を挿通するようにしてもよい。スラットにこのような切欠部を設けることで、昇降コードの押圧によるスラットへの負荷を、スラットに形成した切欠部にラダーコードを挿通させることによって回避できる。このため、スラットはラダーコードに対して所定量の余裕をもって載置されることになって、スラットはスムーズな回転できるようになり、さらに遮蔽性を向上させることができる。
【００１０】
また、本発明の他の応用例として、前記切欠部を、前記ラダーコードの中段コードが挿通するようにしてもよい。切欠部を垂直コードよりもテンションがかかりにくい中段コードが挿通するため、スラット傾斜させたときの遮蔽性を向上させることができる。
【００１１】
また、前記所定のスラットとその直下のスラットとは、異なるラダーコードにより支持されるようにしてもよい。例えば、所定のスラットとその上側のスラットを一のラダーコードにより支持し、その直下のスラットとその下側のスラットを他のラダーコードにより支持するようにしてもよい。
【発明の効果】
【００１２】
本発明によれば、入射及び遮蔽される光の状態にバリエーションを持たせたブラインドにおいて、遮蔽性を向上させることが可能である。本発明のその他の効果については、後述する発明を実施するための形態においても説明する。
【図面の簡単な説明】
【００１３】
【図１】第１の実施形態のブラインドの全体構成を示す正面図である。
【図２】ブラインドの切替部近傍の斜視図である。
【図３】ラダーコードが傾いていないときのブラインドの側面図である。
【図４】前側の垂直コードを巻き取り、後側の垂直コードを巻き解くようにラダーコードを傾動させたときの側面図である。
【図５】前側の垂直コードを巻き解き、後側の垂直コードを巻き取るようにラダーコードを傾動させたときの側面図である。
【図６】スラットを上昇させたときのブラインドの正面図である。
【図７】第２の実施形態のブラインドの全体構成を示す正面図である。
【図８】第２の実施形態のブラインドの切替部の直上のスラットの構成を示す平面図である。
【図９】切替部近傍のスラットの端部を示す背面側から見た斜視図である。
【図１０】切替部近傍のスラットの中央部を示す正面側から見た斜視図である。
【図１１】ブラインドの動作を説明するための図であり、（ａ）はスラットの端部の状態を示し、（ｂ）はスラットの中央部の状態を示す。
【図１２】ブラインドの動作を説明するための図であり、（ａ）はスラットの端部の状態を示し、（ｂ）はスラットの中央部の状態を示す。
【図１３】ブラインドの動作を説明するための図であり、（ａ）はスラットの端部の状態を示し、（ｂ）はスラットの中央部の状態を示す。
【図１４】ブラインドの動作を説明するための図であり、（ａ）はスラットの端部の状態を示し、（ｂ）はスラットの中央部の状態を示す。
【発明を実施するための形態】
【００１４】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１５】
（第１の実施形態）
第１の実施形態に係るブラインドの構成について、図１及び図２を参照しながら説明する。図１は、本実施形態のブラインドの全体構成を示す正面図であり、図２は、ブラインドの切替部近傍の斜視図である。
【００１６】
まず、本実施形態のブラインド１００の全体構成について、図１を参照しながら説明する。ブラインド１００は、ヘッドボックス１１０から垂下される３本のラダーコード１２０によって多数のスラット１３０が整列状態に支持され、ラダーコード１２０の前後の垂直コード１２１、１２２を相対移動させることによりスラット１３０の傾斜を可変とし、ヘッドボックス１１０から垂下される昇降コード１４０が各スラット１３０の側縁に沿って配置されて、昇降コード１４０の一端がスラット１３０列の下端に配置されるボトムレール１５０に連結され、スラット１３０は上部及び下部において、それぞれ異なる角度にてラダーコード１２０によって保持可能であるように構成される。
【００１７】
以下、本実施形態のブラインド１００の各構成要素について説明する。
【００１８】
ヘッドボックス１１０は、窓枠や天井等にブラケットを介して固定されている。ヘッドボックス１１０内には、図１に示したように、ラダーコード１２０及び昇降コード１４０の上端が挿入されている。ヘッドボックス１１０内には、ラダーコード１２０の上端が連結される図示していない回転ドラムが配設されており、回転ドラムの回転によりラダーコード１２０が傾動する。回転ドラムはヘッドボックス１１０の一端に設けられる操作棒１６０を回転操作することにより、回転してラダーコード１２０の傾動が操作される。また、ヘッドボックス１１０の前面には、操作棒１６０と隣り合って、昇降コード１４０の上端が導出される導出口１７０が形成されている。導出口１７０には、昇降コード１４０が移動できる状態と拘束された状態とを切り替えるストッパ１７１が設けられている。
【００１９】
ラダーコード１２０は、図１及び図２に示したように、前後の２つの垂直コード１２１、１２２と、前後の垂直コード１２１、１２２を連結する多数の中段コード１２３とから構成されて、各中段コード１２３に複数のスラット１３０が載置される。また、ラダーコード１２０の前後の垂直コード１２１、１２２の上端は、上述したように、ヘッドボックス１１０内に導入されて回転ドラムに連結される。ラダーコード１２０の前後の垂直コード１２１、１２２は、回転ドラムの回転に伴って、それらの間に上下方向の相対変位が発生し、それによって中段コード１２３が傾斜して、スラット１３０が傾斜するようになっている。ラダーコード１２０の前後の垂直コード１２１、１２２の下端は、スラット１３０列の下端に配置されるボトムレール１５０に連結される。
【００２０】
ラダーコード１２０の前後の垂直コード１２１、１２２のうちの前側の垂直コード１２１は、その上下方向途中位置において、一部がつまみ部材１２４によって丈詰めされた丈詰め部となっている。この丈詰め部に位置する１つの中段コードＸは切除されている。この丈詰め部によって、前側の垂直コード１２１においては、中段コード１２３のピッチは上下方向でほぼ一定である。これに対して、後側の垂直コード１２２においては、１つの中段コードＸが切除されている分、丈詰め部においてのみ、そのピッチが大きくなっている。
【００２１】
つまり、この丈詰め部においては、スラット１３０のピッチが前側は他の部分と同じであるのに対し、後側では２倍になって、前後でピッチが異なっており、丈詰め部は切替部１２０ａとして機能している。そして、この切替部１２０ａを境として中段コード１２３の傾斜角度が変わるために、切替部１２０ａよりも上部にある上側スラット群１３０ａと、切替部１２０ａよりも下部にある下側スラット群１３０ｂとは、異なる傾斜角度に保持し得るようになっている。図２の状態では、上側スラット群１３０ａは水平となっているのに対して、下側スラット群１３０ｂは傾斜している。これにより、ブラインド１００の下部では外部からの視界を遮り、ブラインド１００の上部では外部からの光を採り入れることができるようになっている。また、その逆の状態も可能である。
【００２２】
複数のスラット１３０は、図１に示したように、ラダーコード１２０によって整列状態に支持されており、ラダーコード１２０が傾動することによって回転する。また、上述したように、昇降コード１４０がスラット１３０の側縁に沿って配されているため、スラット１３０には、昇降コード１４０が挿通する挿通孔が設けられていない。
【００２３】
（昇降コード１４０）
昇降コード１４０は、これが昇降することによりスラット１３０を昇降するものである。昇降コード１４０は、図１に示したように、スラット１３０の長手方向の中央と両端に各１本ずつ設けられている。それぞれの昇降コード１４０は、ラダーコード１２０に沿って配されている。それぞれの昇降コード１４０は、下端が複数のスラット１３０の最下段に配置されるボトムレール１５０に連結され、上端が複数のスラット１３０の側縁を通ってヘッドボックス１１０内に導入される。ヘッドボックス１１０内に導入された昇降コード１４０は、ヘッドボックス１１０の一端に導かれて、ストッパ１７１を介して導出口１７０から導出される。ヘッドボックス１１０から導出された昇降コード１４０の一部あるいは昇降コード１４０に連結されたコード１８１によって操作部１８０が構成される。
【００２４】
３本の昇降コード１４０のうち、中央に配置される昇降コード１４０は、前側の垂直コード１２１に沿って配され、スラット１３０の両端に配置される昇降コード１４０は、後側の垂直コード１２２に沿って配される。また、昇降コード１４０は、常に緊張状態に保たれている。
【００２５】
本実施形態において、昇降コード１４０を常に緊張状態に保つのは以下の理由による。すなわち、本実施形態におけるブランド１００は、上述したように、切替部１２０ａにおいてスラット１３０のピッチが前側は他の部分と同じであるのに対し、後側では２倍になって、前後で垂直コード１２１、１２２の長さが異なっている。このため、全スラット１３０を垂直状態に傾斜させたときに、切替部１２０ａにおいて、スラット１３０のピッチが長い後側の垂直コード１２２が弛んでしまう。このように、垂直コードが弛んでしまうブラインドにおいて、昇降コードを常に緊張状態に保たないと、昇降コードが弛んでしまい、それがスラットの回転を妨害する原因になる。このため、昇降コード１４０を常に緊張状態に保つことによって、スラット１３０の回転性を向上させている。
【００２６】
以上、本実施形態のブラインド１００の全体構成について説明した。次に、本実施形態のブラインド１００の動作について、図３〜図５を参照しながら説明する。
【００２７】
スラット１３０を回転させる場合、操作棒１６０を回転操作すると、回転ドラムが回転して前後の垂直コード１２１、１２２のうちどちらか一方を巻き取り、他方を巻き解く。これによりラダーコード１２０が傾動して、中段コード１２３の傾斜が変更される。本実施形態では、ラダーコード１２０に設けられた切替部１２０ａによって、ラダーコード１２０の傾動状態に応じた切替部１２０ａよりも上部にある上側スラット群１３０ａと、切替部１２０ａよりも下部にある下側スラット群１３０ｂの状態が異なるため、ラダーコード１２０の傾動状態に応じた上側スラット群１３０ａと下側スラット群１３０ｂの状態を中心に以下に説明する。
【００２８】
まず、ラダーコード１２０が傾いていない状態、すなわち、前後の垂直コード１２１、１２２のどちらも同じ程度に回転ドラムに巻き取られている場合、図３に示したように、上側スラット群１３０ａが水平で、下側スラット群１３０ｂが約４５°傾いた状態になる。これにより、ブラインド１００の上部では外部からの光を採り入れることができる。一方、ブラインド１００の下部では、外部からの光や視線をある程度遮ることができる。このようにして、入射及び遮蔽される光の状態にバリエーションを持たせることができる。
【００２９】
次に、前側の垂直コード１２１を巻き取り、後側の垂直コード１２２を巻き解くと、上側スラット群１３０ａ及び下側スラット群１３０ｂが回転する。このとき、まず、下側スラット郡１３０ｂが垂直な状態になる。その後、垂直コード１２１、１２２の操作を続けると、上側スラット群１３０ａが垂直な状態になる。これにより、図４に示したように、上側スラット群１３０ａ及び下側スラット群１３０ｂがともに垂直な状態になり、全てのスラット１３０が閉じる。
【００３０】
上述したように、ブラインド１００は、昇降コード１４０がスラット１３０の側縁を通り、スラット１３０には昇降コード１４０が挿通する挿通孔が設けられていないため、ブラインド１００全体がスラット１３０の面によって遮蔽される。よって、ブラインド１００全体が光漏れを生ずることなく、外部からの光や視線を遮ることができる。このようにして、入射及び遮蔽される光の状態にバリエーションを持たせることができる。
【００３１】
次に、前側の垂直コード１２１を巻き解き、後側の垂直コード１２２を巻き取った場合、図５に示したように、上側スラット群１３０ａが約４５°傾き、下側スラット群１３０ｂが水平な状態になる。これにより、ブラインド１００の上部では、外部からの光や視線をある程度遮ることができる。一方、ブラインド１００の下部では外部からの光を採り入れることができる。このようにして、入射及び遮蔽される光の状態にバリエーションを持たせることができる。
【００３２】
この後、さらに、前側の垂直コード１２１を巻き解き、後側の垂直コード１２２を巻き取る操作を続けると、上側スラット群１３０ａ及び下側スラット群１３０ｂはさらに回転する。そして、前側の垂直コード１２１の巻き解き、及び後側の垂直コード１２２の巻き取りを限界まで行うと、上側スラット群１３０ａが垂直な状態になり、下側スラット群１３０ｂが水平よりも若干傾いた状態になる。上述したように、ブラインド１００は、昇降コード１４０がスラット１３０の側縁を通り、スラット１３０には昇降コード１４０が挿通する挿通孔が設けられていないため、ブラインド１００の上部では、光漏れを生ずることなく、外部からの光や視線を遮ることができる。一方、ブラインド１００の下部では外部からの光を採り入れることができる。このようにして、入射及び遮蔽される光の状態にバリエーションを持たせることができる。
【００３３】
スラット１３０の昇降は、ヘッドボックス１１０から導出された昇降コード１４０の一部あるいは昇降コード１４０に連結されたコードである操作部１８０の操作により行われる。すなわち、操作部１８０を引き降ろすと、図６に示したように、スラット１３０が上昇する。スラット１３０の下降は、操作部１８０を操作してストッパ１７１を解除する。これにより、スラット１３０が自重によって下降する。
【００３４】
（第１の実施形態の効果）
以上説明したように、本実施形態によれば、昇降コード１４０をスラット１３０の長手方向の側縁に沿って配置したことによって、スラット１３０に昇降コード１４０を挿通させるための挿通孔を設ける必要がない。このため、スラット１３０を全閉となるまで回転させても、挿通孔からの光漏れの懸念がない。
【００３５】
（第２の実施形態）
次に、第２の実施形態に係るブラインドの構成について、図７〜図１０を参照しながら説明する。図７は、第２の実施形態のブラインドの全体構成を示す正面図であり、図８は、第２の実施形態のブラインドの切替部の直上のスラットの構成を示す平面図であり、図９は、切替部近傍のスラットの端部を示す背面側から見た斜視図であり、図１０は、切替部近傍のスラットの中央部を示す正面側から見た斜視図である。本実施形態では、第１の実施形態のブラインドの応用例として、ラダーコードの切替部の直上に配置されるスラットを第１の実施形態のスラットとは異なる構成にしたものである。なお、切替部の直上に配置されるスラットとは、スラットの角度が切替わる箇所となる上下２枚のスラットのうち、上側に配置されるスラットを指す。
【００３６】
本実施形態では、上記第１の実施形態と異なる点を中心に説明する。以下の説明において、ラダーコード２２０、切替部２２０ａ、前側の垂直コード２２１、後側の垂直コード２２２、中段コード２２３、スラット２３０、上側スラット群２３０ａ、下側スラット群２３０ｂ及び昇降コード２４０について、上記第１の実施形態のラダーコード１２０、切替部１２０ａ、前側の垂直コード１２１、後側の垂直コード１２２、中段コード１２３、スラット１３０、上側スラット群１３０ａ、下側スラット群１３０ｂ及び昇降コード１４０と同様の点については、重複説明を省略する。
【００３７】
第１の実施形態のブラインド１００では、スラット１３０の側縁に沿って昇降コード１４０を配している。昇降コード１４０は常に緊張状態に保持されているため、このように昇降コード１４０を配した場合、スラット１３０は前後両側から昇降コード１４０による押圧を受けることになる。このとき、上側スラット群１３０ａが水平、下側スラット群１３０ｂが垂直状態にあると、下側スラット群１３０ｂに沿ってラダーコード１２０及び昇降コード１４０の前後幅が狭くなる。このため、上側スラット群１３０ａに対して前後方向からの負荷がかかることになり、スラット１３０の回転が窮屈となって一部のスラット１３０、特に下方のスラット１３０が回転しきれないおそれがあった。
【００３８】
そこで、本実施形態では、第１の実施形態のブラインド１００の応用例として、以下のような構成を採用したものである。すなわち、本実施形態のブラインド２００では、図７に示したように、上側スラット群２３０ａの最下段のスラット２３１、すなわちラダーコード２２０の切替部２２０ａの直上に配置される直上のスラット２３１の後の側縁２３１ａに、図８に示したように、切欠部２３１ｃを形成している。切欠部２３１ｃは直上のスラット２３１の両端と中央に配設される各ラダーコード２２０の後側の垂直コード２２２と対向する位置に形成されている。
【００３９】
（スラット２３０）
スラット２３０の両端は、図９に示したように、上下の中段コード２２３の間に挿入されている。そして、直上のスラット２３１は、自重によりこれを支持している中段コード２２３に沈み込むため、切欠部２３１ｃに中段コード２２３が挿通される。直上のスラット２３１と中段コード２２３は、切欠部２３１ｃに中段コード２２３が挿通した状態でクリップ２９０で固定されている。また、切欠部２３１ｃには昇降コード２４０が挿通している。
【００４０】
このように、スラット２３１の両端部の切欠部２３１ｃに昇降コード２４０が挿通することによって、直上のスラット２３１の横方向の移動が規制されるため、直上のスラット２３１の横ずれが防止される。また、上側スラット群２３０ａよりも、下側スラット群２３０ｂの傾斜角度が大きく、昇降コード２４０が下側スラット群２３０ｂに引っ張られてスラット２３０の前方に傾斜しても、この傾斜による昇降コード２４０の前方への変位を切欠部２３１ｃが吸収する。これにより、昇降コード２４０はスラット２３１の後の側縁２３１ａを押圧することはないので、直上のスラット２３１が前方に押し出されることはない。
【００４１】
スラット２３０の中央は、図１０に示したように、上下の中段コード２２３の上に載置されている。そして、スラット２３０の中央においても両端と同様に、直上のスラット２３１は、自重によりこれを支持している中段コード２２３が切欠部２３１ｃに挿通された状態で、直上のスラット２３１と中段コード２２３がクリップ２９０で固定されている。直上のスラット２３１の中央においては、昇降コード２４０は、直上のスラット２３１の切欠部２３１ｃの無い前の側縁２３１ｂ側に配されている。
【００４２】
昇降コード２４０は上述したように常に緊張状態にあるため、中央に配される昇降コード２４０は、直上のスラット２３１の前の側縁２３１ｂを押圧している。これにより、直上のスラット２３１が後方に移動するため、直上のスラット２３１の後の側縁２３１ａに配されている後側の垂直コード２２２が切欠部２３１ｃに挿通される。このため、直上のスラット２３１の後の側縁２３１ａが後側の垂直コード２２２を押圧することはないので、昇降コード２４０と後側の垂直コード２２２に挟まれて直上のスラット２３１に前後方向から負荷がかかることはない。
【００４３】
このように、昇降コード２４０の押圧による直上のスラット２３１への負荷を、直上のスラット２３１に形成した切欠部２３１ｃにラダーコード２２０の後側の垂直コード２２２を挿通させることによって回避できる。このため、直上のスラット２３１はラダーコード２２０に対して所定量の余裕をもって載置されることになる。よって、直上のスラット２３１はスムーズに回転できるようになり、さらに遮蔽性を向上させることができる。
【００４４】
本実施形態では、上述したように、直上のスラット２３１に形成される全ての切欠部２３１ｃは後側の垂直コード２２２と対向する位置に形成されている。このため、スラット２３１が回転するときには、スラット２３１は、全ての後側の垂直コード２２２に対して切欠部２３１ｃが落ち込みながら回転する。このため、スラット２３１の回転に応じたスラット２３１の長手方向における落ち込み量は同程度になる。よって、スラット２３１の傾きが防止される。また、全ての切欠部２３１ｃが後側の垂直コード２２２によってほぼ塞がれるため、遮光性が向上する。
【００４５】
また、本実施形態では、直上のスラット２３１の中央において、昇降コード２４０の押圧による直上のスラット２３１への負荷を、直上のスラット２３１に形成した切欠部２３１ｃにラダーコード２２０の後側の垂直コード２２２を挿通させることによって回避している。このため、直上のスラット２３１の中央において、昇降コード２４０の押圧を回避するために、直上のスラット２３１の前の側縁２３１ｂに昇降コード２４０が挿通する切欠部を設ける必要がない。よって、切欠部２３１ｃの数が最小限で済むため、遮光性を向上させることができる。
【００４６】
以上、本実施形態のブラインド２００の構成について説明した。次に、本実施形態のブラインド２００の動作について説明する。本実施形態では、スラット２３０が回転する際の直上のスラット２３１の動作が、第１の実施形態と相違するため、第１の実施形態と相違する点を中心に、図１１〜図１４を参照しながら説明する。
【００４７】
まず、ラダーコード２２０が傾いていない状態、すなわち、前後の垂直コード２２１、２２２のどちらも同じ程度に回転ドラムに巻き取られている場合について説明する。このような場合、図１１（ａ）及び（ｂ）に示したように、上側スラット群２３０ａが水平で、下側スラット群２３０ｂが傾斜した状態になるため、切替部２２０ａの直上のスラット２３１は水平な状態になっている。そして、直上のスラット２３１の両端の切欠部２３１ｃには、図１２（ａ）に示したように、昇降コード２４０が挿通した状態となっている。一方、直上のスラット２３１の中央の切欠部２３１ｃには、図１２（ｂ）に示したように、後側の垂直コード２２２が挿通した状態となっている。
【００４８】
次に、前側の垂直コード２２１を巻き取り、後側の垂直コード２２２を巻き解くと、図１３（ａ）及び（ｂ）に示したように、上側スラット群２３０ａ及び下側スラット群２３０ｂがともに垂直な状態に回転し、スラット２３０全体が閉じる。上側スラット群２３０が回転する際、切替部２２０ａの直上のスラット２３１は、各切欠部２３１ｃの底部が中段コード２２３に支持されながら回転し、回転終了時には、図１４（ａ）、（ｂ）に示したように、各切欠部２３１ｃの底部が中段コード２２３に支持される。中段コード２２３は、後側の垂直コード２２２よりもテンションがかかりにくいため、直上のスラット２３１の回転に応じて柔軟に形状が変化する。よって、直上のスラット２３１の回転が円滑になり、他のスラット２３０と同様に回転することができる。さらに、直上のスラット２３１が十分に回転することができるため、遮蔽性が向上する。
【００４９】
なお、上記以外の動作及び効果、すなわち、前側の垂直コード２２１を巻き解き、後側の垂直コード２２２を巻き取ったとき、及びスラット２３０を上昇させたときの動作及び効果は、第１の実施形態と同様であるため説明を省略する。
【００５０】
（第２の実施形態の効果）
以上説明したように、本実施形態によれば、切替部２２０ａの直上のスラット２３１に切欠部２３１ｃを設けることで、昇降コード２４０の押圧による直上のスラット２３１への負荷を、スラット２３０に形成した切欠部２３１ｃにラダーコード２２０の後側の垂直コード２２２を挿通させることによって回避できる。このため、直上のスラット２３１はラダーコード２２０に対して所定量の余裕をもって載置されることになる。よって、直上のスラット２３１はスムーズに回転できるようになり、さらに遮蔽性を向上させることができる。
【００５１】
また、切欠部２３１ｃを後側の垂直コード２２２よりもテンションがかかりにくい中段コード２２３が挿通するため、直上のスラット２３１が十分に回転する。このため、スラット２３０を傾斜させたときの遮蔽性を向上させることができる。
【００５２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５３】
例えば、上記実施形態では、スラット群を上下２つのスラット群に分けたが、本発明は、この例に限定されない。本発明は、隣接するスラット（所定のスラットとその直下のスラット）がラダーコードによって異なる傾斜角度に支持可能なブラインドであれば、任意のブラインドに採用できる。例えば、ラダーコードによって異なる傾斜角度に支持可能とされるスラット群を３つ以上としたりしてもよい。また、任意のスラットのみを異なる傾斜角度に支持されるようにしてもよい。
【００５４】
また、上記実施形態では、ラダーコードの前後の垂直コードのうちの前側の垂直コードの上下方向途中位置において、一部がつまみ部材によって丈詰めされた丈詰め部を構成することにより、上側スラット群と下側スラット群とを異なる角度で支持可能な切替部をラダーコードに設けたが、本発明はこの例に限定されない。例えば、以下の例のようなものでもよい。すなわち、上下のスラット群がそれぞれ異なるラダーコードによって支持されるようにしてもよい。つまり、上側スラット群は上側スラット群のみ支持する上部ラダーコードによって支持され、下側スラット群は下側スラット群のみ支持する下部ラダーコードによって支持されるようにする。そして、上部ラダーコードと下部ラダーコードとが独立、あるいは時間差を以て回転することで、上下で異なるスラット角度にすることができる。このように構成されたブラインドの上側スラット群の最下段のスラットに、第２の実施形態と同様に切欠部をさらに設けることにより、第２の実施形態と同様に最下段のスラットがスムーズにかつ十分に回転できるようになり、遮蔽性が向上する。
【００５５】
さらに別の例として、以下のようなものでもよい。すなわち、ラダーコードに全てのスラットを同じ角度で支持しておき、ラダーコードの一部に操作コードを連結する。そして、操作コードを操作することによって、ラダーコードの一部が引き上げられ、引き上げられた箇所より下部の下側スラット群のみが回転することによって、引き上げられた箇所を境に、上下のスラット群を異なる角度にするようにしてもよい。このように構成されたブラインドの上側スラット群の最下段のスラットに、第２の実施形態と同様に切欠部をさらに設けることにより、第２の実施形態と同様に最下段のスラットがスムーズにかつ十分に回転できるようになり、遮蔽性が向上する。
【００５６】
また、上記実施形態では、切欠部２３１ｃに中段コード２２３が挿通されるようにしたが、本発明はこれに限定されない。例えば、切欠部２３１ｃには中段コード２２３が挿通されず、後側の垂直コード２２２のみが挿通するようにしてもよい。
【００５７】
また、上記実施形態では、ラダーコード１２０及び昇降コード１４０の数を３本としたが、ブラインド１００のサイズやデザインによって適宜変更してよい。
【符号の説明】
【００５８】
１００、２００  ブラインド
１１０  ヘッドボックス
１２０、２２０  ラダーコード
１２０ａ、２２０ａ  切替部
１２１、２２１  前側の垂直コード
１２２、２２２  後側の垂直コード
１２３、２２３  中段コード
１２４  つまみ部材
１３０、２３０  スラット
１３０ａ、２３０ａ  上側スラット群
１３０ｂ、２３０ｂ  下側スラット群
１４０、２４０  昇降コード
１５０  ボトムレール
１６０  操作棒
１７０  導出口
１７１  ストッパ
１８０  操作部
１８１  コード
２３１  直上のスラット
２３１ａ  後の側縁
２３１ｂ  前の側縁
２３１ｃ  切欠部
２９０  クリップ
【図１】
0006480251.tif 000002
【図２】
0006480251.tif 000003
【図３】
0006480251.tif 000004
【図４】
0006480251.tif 000005
【図５】
0006480251.tif 000006
【図６】
0006480251.tif 000007
【図７】
0006480251.tif 000008
【図８】
0006480251.tif 000009
【図９】
0006480251.tif 000010
【図１０】
0006480251.tif 000011
【図１１】
0006480251.tif 000012
【図１２】
0006480251.tif 000013
【図１３】
0006480251.tif 000014
【図１４】
0006480251.tif 000015